【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
ＣＰＲパフォーマンスについてのサマリー情報を提供するためのシステムであって、
救助者により傷病者に対して実行されるＣＰＲのパフォーマンスに関連するデータをセンシングするための少なくとも１つのセンサと、
フィードバックデバイスと、
パフォーマンスが分析されるべき１又は複数の時間的インターバルを識別し、
前記少なくとも１つのセンサからデータを集め、前記データは前記１又は複数の時間的インターバルの間の１より多くのパラメータに関連し、前記１より多くのパラメータはＣＰＲ圧迫のレート、ＣＰＲ圧迫の深さ、圧迫分率、除細動の前又は後の中断、気流の量、及び換気のレートのうちの少なくとも１つを表し、
前記１より多くのパラメータの分析から、前記１より多くのパラメータに対して検知されたデータを前記識別された１又は複数の時間的インターバルにわたる前記ＣＰＲのパフォーマンス全体を表す単一のメトリックに縮約するＣＰＲパフォーマンスメトリックを生成し、前記ＣＰＲパフォーマンスメトリックを生成することは、前記１より多くのパラメータのそれぞれに対する重み係数及び各データに基づく前記ＣＰＲパフォーマンスメトリックを算出することを含み、
前記フィードバックデバイスにより、前記救助者による前記ＣＰＲの中断の５分以内に、ユーザに前記ＣＰＲパフォーマンスメトリックを伝達する、
コントローラと、
を備えるシステム。
【請求項２】
前記ＣＰＲパフォーマンスメトリックを生成することは、ＣＰＭ＝ｆ（ｗｒａｔｅＸｒａｔｅ，ｗｄｅｐｔｈＸｄｅｐｔｈ，ｗｆｒａｃｔｉｏｎＸｆｒａｃｔｉｏｎ）に従って前記ＣＰＲパフォーマンスメトリック（ＣＰＭ）を算出することを含み、ｗｒａｔｅ，ｗｄｅｐｔｈ，及びｗｆｒａｃｔｉｏｎは、胸部圧迫のレート、胸部圧迫の深さ、及び分率のそれぞれについての重み係数であり、Ｘｒａｔｅ，Ｘｄｅｐｔｈ，及びＸｆｒａｃｔｉｏｎは、リーチパラメータについての各データに基づく胸部圧迫のレート、胸部圧迫の深さ、及び分率について計算された複数のメトリックである、請求項１に記載のシステム。
【請求項３】
前記１より多くのパラメータのそれぞれに対する前記重み係数は、ニューラルネットワークを用いて決定される重み係数を含む、請求項１又は２に記載のシステム。
【請求項４】
前記１より多くのパラメータのそれぞれに対する前記重み係数は、線形回帰技術を用いて決定される重み係数を含む、請求項１又は２に記載のシステム。
【請求項５】
前記コントローラは、さらに、前記フィードバックデバイスにより、前記識別された１又は複数の時間的インターバルの間のＣＰＲ圧迫レート、ＣＰＲ圧迫深さ、及びＣＰＲ分率を伝達する、請求項１から４のいずれか一項に記載のシステム。
【請求項６】
前記コントローラは、さらに、そのパラメータについてのＣＰＲ品質を表す単一のメトリックを提供するために、前記パラメータに対するデータを縮約している各パラメータごとのメトリックを用いてパラメータごとのメトリックを提供することにより、前記ＣＰＲパフォーマンスメトリックを前記ユーザに伝達する、請求項１から５のいずれか一項に記載のシステム。
【請求項７】
前記コントローラは、前記救助者による前記ＣＰＲの中断の１分以内に前記ＣＰＲパフォーマンスメトリックを伝達する、請求項１から６のいずれか一項に記載のシステム。
【請求項８】
前記少なくとも１つのセンサは、胸部圧迫センサ、患者換気センサ、及び心電図センサのうちの１又は複数を含む、請求項１から７のいずれか一項に記載のシステム。
【請求項９】
前記コントローラは、前記ＣＰＲパフォーマンスメトリックを、前記少なくとも１つのセンサから前記フィードバックデバイスに前記１又は複数の行動についてのデータを無線で送信することにより伝達する、請求項１から８のいずれか一項に記載のシステム。
【請求項１０】
前記ＣＰＲパフォーマンスメトリックは、１又は複数のＣＰＲ関連行動が実行された品質レベルを、１つの英数字インジケータにより示すスコアを含む、請求項１から９のいずれか一項に記載のシステム。
【請求項１１】
前記１又は複数の行動がなされる間の前記傷病者の心電図データをモニタするための回路、及び、救助者の手動による介入を伴わずに除細動器を充電すること及び前記傷病者にショックを与えることのうちの少なくとも１つを行う前記除細動器さらに備える、請求項１から１０のいずれか一項に記載のシステム。
【請求項１２】
前記ＣＰＲパフォーマンスメトリックを生成することは、前記傷病者に対して実行された２又はそれより多くの別個の行為の測定結果から受ける情報から単一のデータ値を生成することを含む、請求項１から１１のいずれか一項に記載のシステム。
【請求項１３】
前記ＣＰＲパフォーマンスメトリックを生成することは、ＣＰＲ深さ、ＣＰＲ圧迫レート、及びＣＰＲ分率についての情報から単一のデータ値を生成することを含む、請求項１から１２のいずれか一項に記載のシステム。
【請求項１４】
前記１又は複数の時間的インターバルは、前記救助者によるＣＰＲ施用の継続期間全体を含む、請求項１から１３のいずれか一項に記載のシステム。
【請求項１５】
ＣＰＲのパフォーマンスに関連する１より多くのパラメータを検出する１又は複数のセンサと、
前記１又は複数のセンサから前記１より多くのパラメータを受信し、ユーザに、実行された前記ＣＰＲに関連する前記１より多くのパラメータに基づいて前記ユーザにより実行されるＣＰＲについてのフィードバックを提供するフィードバックデバイスと、
複数の命令を格納するメモリと、
前記１より多くのパラメータを分析して前記ユーザのパフォーマンス全体を表すＣＰＲパフォーマンスメトリックを決定することを含む処理を実行するための前記複数の命令を実行するプロセッサであり、前記ＣＰＲパフォーマンスメトリックは前記１より多くのパラメータに適用される複数の重み付けされた値に少なくとも部分的に基づく、前記プロセッサと、
を備える外部除細動器。
【請求項１６】
前記複数の重み付けされた値は、胸部圧迫のレート、胸部圧迫の深さ、及びガイドラインに基づく分率のうちの少なくとも１つに対して適用される、請求項１５に記載の外部除細動器。
【請求項１７】
ＣＰＲのパフォーマンスに関連する１より多くのパラメータを検出する１又は複数のセンサと、
実行された前記ＣＰＲに関連する前記１より多くのパラメータに基づいてユーザにより実行されるＣＰＲについてのフィードバックを前記ユーザに提供する１又は複数のユーザインターフェースと、
外部除細動器と、を備え、
前記外部除細動器は、
複数の命令を格納するメモリと、
前記１より多くのパラメータを分析して前記ユーザのパフォーマンス全体を表すＣＰＲパフォーマンスメトリックを決定することを含む処理を実行するための前記複数の命令を実行するプロセッサであり、前記ＣＰＲパフォーマンスメトリックは前記１より多くのパラメータに適用される複数の重み付けされた値に少なくとも部分的に基づく、前記プロセッサと、
を含む、
外部除細動システム。
【請求項１８】
前記１又は複数のユーザインターフェースは、タブレットコンピューティングデバイス、ヘッドセット、及びスマートフォンのうちの少なくも１つを含む、請求項１７に記載の外部除細動システム。
【請求項１９】
前記１又は複数のセンサは、胸部圧迫センサ、患者換気センサ、及び心電図センサのうちの少なくとも１つを含む、請求項１７又は１８に記載の外部除細動システム。
【請求項２０】
前記複数の重み付けされた値は、胸部圧迫のレート、胸部圧迫の深さ、及びガイドラインに基づく分率のうちの少なくとも１つに対して適用される、請求項１７から１９のいずれか一項に記載の外部除細動システム。
【請求項２１】
前記１より多くのパラメータのそれぞれに対する前記重み係数は、ニューラルネットワーク及び生存の予測器をモデル化するよう適合された線形回帰技術の少なくとも一方により決定される重み係数を含む、請求項１から１４のいずれか一項に記載のシステム。
【請求項２２】
前記モデルは、過去のパフォーマンスデータ及び臨床結果データの少なくとも一方に基づく、請求項２１に記載のシステム。